(57)【要約】【課題】複数のチップが実装された発光素子アレイを用いる場合に、複数の発光素子が集光点列と同じ間隔で配列されていなくても、集光点が解像度に応じた所望の間隔で並ぶように、複数の発光素子の各々から射出された各光を被露光面に収束させることができる露光装置及び画像形成装置を提供する。【解決手段】露光装置は、複数の発光素子が予め定めた方向に第１の間隔で並ぶように配列された発光素子列が一次元状又は二次元状に複数配列された発光素子アレイと、発光素子アレイ上に配置された記録層に複数の発光素子からの光照射により射出された回折光が収束して被露光面に形成される集光点が予め定めた方向に第１の間隔より広い第２の間隔で並ぶように発光素子アレイを構成する複数の発光素子の各々に対応して複数のホログラム素子が多重記録されたホログラム素子アレイと、を備える。【選択図】図６
2011173333.tif 000002
【特許請求の範囲】
【請求項１】
複数の発光素子が予め定めた方向に第１の間隔で並ぶように配列された発光素子列が、一次元状又は二次元状に複数配列された発光素子アレイと、
前記発光素子アレイ上に配置された記録層に、前記複数の発光素子からの光照射により射出された回折光が収束して被露光面に形成される集光点が前記予め定めた方向に前記第１の間隔より広い第２の間隔で並ぶように前記発光素子アレイを構成する複数の発光素子の各々に対応して複数のホログラム素子が多重記録されたホログラム素子アレイと、
を備えた露光装置。
【請求項２】
前記発光素子アレイは、互いに隣り合う２個の集光点が互いに異なる発光素子列に配列された２個の発光素子により形成されたときに、前記２個の発光素子の一方の発光素子と他方の発光素子との前記予め定めた方向の間隔ｘが下記式を満たすように、複数の発光素子列が配列された、請求項１に記載の露光装置。
ｘ＜ｐｓ（Ｌ/ｄ）
式中、ｐｓは予め定めた方向に配列される集光点の間隔（第２の間隔）を表し、Ｌがホログラム素子の作動距離（ホログラム素子から集光点までの距離）を表し、ｄがホログラム素子の焦点深度を表す。
【請求項３】
請求項１又は請求項２に記載の露光装置と、
前記露光装置と前記作動距離だけ離間して配置され、画像データに応じて前記露光装置により前記集光点が並ぶ予め定めた方向に主走査されて画像が書き込まれる感光体と、
を含む画像形成装置。
【発明の詳細な説明】
【技術分野】
【０００１】
本発明は、露光装置及び画像形成装置に関する。
【背景技術】
【０００２】
特許文献１には、光源からの光ビームを２個以上のホログラムを介して回折し、この回折光を結像体上で走査させる光ビーム走査装置であって、該２個以上のホログラムが、収束作用を有する凸レンズのパワーを備えたものと、発散作用を有する凹レンズのパワーを備えたもので形成されている光ビーム走査装置が記載されている。
【先行技術文献】
【特許文献】
【０００３】
【特許文献１】特開平５−２０３８９２号公報
【発明の概要】
【発明が解決しようとする課題】
【０００４】
本発明の目的は、複数の発光素子列（チップ）が実装された発光素子アレイを用いる場合に、複数の発光素子が集光点列と同じ間隔で配列されていなくても、集光点が解像度に応じた所望の間隔で並ぶように、複数の発光素子の各々から射出された各光を被露光面に収束させることができる露光装置及び画像形成装置を提供することにある。
【課題を解決するための手段】
【０００５】
上記目的を達成するために各請求項に記載の発明は、下記構成を備えたことを特徴としている。
【０００６】
請求項１に記載の発明は、複数の発光素子が予め定めた方向に第１の間隔で並ぶように配列された発光素子列が、一次元状又は二次元状に複数配列された発光素子アレイと、前記発光素子アレイ上に配置された記録層に、前記複数の発光素子からの光照射により射出された回折光が収束して被露光面に形成される集光点が前記予め定めた方向に前記第１の間隔より広い第２の間隔で並ぶように前記発光素子アレイを構成する複数の発光素子の各々に対応して複数のホログラム素子が多重記録されたホログラム素子アレイと、を備えた露光装置である。
【０００７】
請求項２に記載の発明は、前記発光素子アレイは、互いに隣り合う２個の集光点が互いに異なる発光素子列に配列された２個の発光素子により形成されたときに、前記２個の発光素子の一方の発光素子と他方の発光素子との前記予め定めた方向の間隔ｘが下記式を満たすように、複数の発光素子列が配列された、請求項１に記載の露光装置である。
ｘ＜ｐｓ（ｆ/ｄ）
式中、ｐｓは予め定めた方向に配列される集光点の間隔（第２の間隔）を表し、ｆがホログラム素子の作動距離（ホログラム素子から集光点までの距離）を表し、ｄがホログラム素子の焦点深度を表す。
【０００８】
請求項３に記載の発明は、請求項１又は請求項２に記載の露光装置と、前記露光装置と前記作動距離だけ離間して配置され、画像データに応じて前記露光装置により前記集光点が並ぶ予め定めた方向に主走査されて画像が書き込まれる感光体と、を含む画像形成装置である。
【発明の効果】
【０００９】
本発明の各請求項に記載の発明によれば、以下の効果がある。
【００１０】
請求項１に記載の発明によれば、複数の発光素子列（チップ）が実装された発光素子アレイを用いる場合に、複数の発光素子が集光点列と同じ間隔で配列されていなくても、集光点が解像度に応じた所望の間隔で並ぶように、複数の発光素子の各々から射出された各光を被露光面に収束させることができる、という効果がある。
【００１１】
例えば、複数のチップが実装された発光素子アレイを用いる場合に、複数の発光素子が集光点列より狭い間隔で配列されたチップを用いることができ、余剰の発光素子の実装を不要として実装コストを削減することができる。
【００１２】
請求項２に記載の発明によれば、複数のチップが実装された発光素子アレイを用いる場合でも、チップの配列に拘わらず、集光点が解像度に応じた所望の間隔で並ぶように、複数の発光素子の各々から射出された各光を被露光面に収束させることができる。これにより、発光素子アレイに実装された複数のチップの配列精度が緩和される。即ち、ある程度の組立公差が許容され、集光点の間隔には影響を与えない。
【００１３】
請求項３に記載の発明によれば、露光装置に複数のチップが実装された発光素子アレイを用いる場合でも、複数の発光素子が集光点列と同じ間隔で配列されていなくても、集光点が画像形成装置の解像度に応じた所望の間隔で並ぶように、複数の発光素子の各々から射出された各光を感光体の表面に所定の作動距離で収束させて感光体を主走査し画像を書き込むことができる、という効果がある。
【図面の簡単な説明】
【００１４】
【図１】本発明の実施の形態に係る画像形成装置の構成の一例を示す概略図である。
【図２】本発明の実施の形態に係るＬＥＤプリントヘッドの構成の一例を示す概略斜視図である。
【図３】（Ａ）はホログラム素子の概略形状を示す斜視図であり、（Ｂ）はＬＥＤプリントヘッドの副走査方向の断面図であり、（Ｃ）はＬＥＤプリントヘッドの主走査方向の断面図である。
【図４】ホログラム記録層にホログラムが記録される様子を示す図である。
【図５】ホログラムが再生されて回折光が生成される様子を示す図である。
【図６】ＳＬＥＤアレイに対応してホログラム素子アレイが形成されたＬＥＤプリントヘッドの部分的構成の一例を示す分解斜視図である。
【図７】複数のＳＬＥＤチップを配列してＳＬＥＤアレイを構成する条件を説明する図面である。
【発明を実施するための形態】
【００１５】
以下、図面を参照して本発明の実施の形態の一例を詳細に説明する。
【００１６】
＜ＬＥＤプリントヘッドを搭載した画像形成装置＞
まず、本発明の実施の形態に係るＬＥＤプリントヘッドを搭載した画像形成装置について説明する。電子写真方式で画像を形成する複写機、プリンタ等では、感光体ドラムに潜像を書き込む露光装置として、従来のレーザＲＯＳ（Raster Output Scanner）方式の露光装置に代わり、発光ダイオード（ＬＥＤ）を光源に用いたＬＥＤ方式の露光装置が主流になりつつある。ＬＥＤ方式の露光装置では、走査光学系は不要であり、レーザＲＯＳ方式に比べて大幅な小型化が可能である。また、ポリゴンミラーを駆動する駆動モータも不要であり、機械的なノイズが発生しないという利点もある。
【００１７】
ＬＥＤ方式の露光装置は、ＬＥＤプリントヘッドと称され、ＬＰＨと略称されている。従来のＬＥＤプリントヘッドは、長尺状の基板上に多数のＬＥＤが配列されたＬＥＤアレイと、多数の屈折率分布型のロッドレンズが配列されたレンズアレイと、を備えている。ＬＥＤアレイには、例えば１インチ当り１２００画素（即ち、１２００ｄｐｉ）と、主走査方向の画素数に対応して多数のＬＥＤが配列されている。従来、レンズアレイには、セルフォック（登録商標）などのロッドレンズが用いられている。各ＬＥＤから射出された光は、ロッドレンズにより集光されて、感光体ドラム上に正立等倍像が結像される。
【００１８】
ロッドレンズに代えて「ホログラム素子」を用いたＬＥＤプリントヘッドが検討されている。本実施の形態に係る画像形成装置は、以下に説明する「ホログラム素子アレイ」を備えたＬＥＤプリントヘッドを備えている。ロッドレンズを用いたＬＰＨでは、レンズアレイ端面から結像点までの光路長（作動距離）は数ｍｍ程度と短く、感光体ドラムの周囲における露光装置の占有割合が大きくなる。これに対して、ホログラム素子アレイを備えたＬＰＨ１４は、作動距離が数ｃｍ程度と長く、感光体ドラムの周囲が混み合わず、全体として画像形成装置が小型化される。
【００１９】
また、一般に、インコヒーレント光（非干渉性の光）を射出するＬＥＤを用いるＬＰＨでは、コヒーレンス性が低下してスポットぼけ（いわゆる色収差）が生じ、微小スポットを形成することは容易ではない。これに対して、ホログラム素子アレイを備えたＬＰＨ１４は、ホログラム素子の入射角選択性及び波長選択性が高く、感光体ドラム１２上には輪郭の鮮明な微小スポットが形成される。
【００２０】
図１は本発明の実施の形態に係る画像形成装置の構成の一例を示す概略図である。この画像形成装置は、所謂タンデム型のデジタルカラープリンタであり、各色の画像データに対応して画像形成を行う画像形成部としての画像形成プロセス部１０、画像形成装置の動作を制御する制御部３０、及び画像読取装置３と例えばパーソナルコンピュータ（ＰＣ）２等の外部装置とに接続され、これらの装置から受信された画像データに対して所定の画像処理を施す画像処理部４０を備えている。
【００２１】
画像形成プロセス部１０は、一定の間隔で並列に配置される４つの画像形成ユニット１１Ｙ、１１Ｍ、１１Ｃ、１１Ｋを備えている。画像形成ユニット１１Ｙ、１１Ｍ、１１Ｃ、１１Ｋの各々は、イエロー（Ｙ）、マゼンタ（Ｍ）、シアン（Ｃ）、黒（Ｋ）のトナー像を形成する。なお、画像形成ユニット１１Ｙ、１１Ｍ、１１Ｃ、１１Ｋを、適宜「画像形成ユニット１１」と総称する。
【００２２】
各画像形成ユニット１１は、静電潜像を形成してトナー像を担持する像担持体としての感光体ドラム１２、感光体ドラム１２の表面を所定電位で一様に帯電する帯電器１３、帯電器１３によって帯電された感光体ドラム１２を露光する露光装置としてのＬＥＤプリントヘッド(ＬＰＨ)１４、ＬＰＨ１４によって得られた静電潜像を現像する現像器１５、転写後の感光体ドラム１２表面を清掃するクリーナ１６を備えている。
【００２３】
ＬＰＨ１４は、感光体ドラム１２の軸線方向の長さと略同じ長さの長尺状のプリントヘッドである。ＬＰＨ１４は、その長さ方向が感光体ドラム１２の軸線方向を向くように、感光体ドラム１２の周囲に配置されている。本実施の形態では、ＬＰＨ１４には、長さ方向に沿って複数のＬＥＤがアレイ状（列状）に配列されている。また、ＬＥＤアレイ上には、複数のＬＥＤに対応する複数のホログラム素子がアレイ状に配列されている。
【００２４】
後述する通り、ホログラム素子アレイを備えたＬＰＨ１４の作動距離は長く、感光体ドラム１２の表面から数ｃｍ離間して配置されている。このため、感光体ドラム１２の周方向における占有幅が小さく、感光体ドラム１２の周囲の混雑が緩和されている。
【００２５】
また、画像形成プロセス部１０は、各画像形成ユニット１１の感光体ドラム１２にて形成された各色のトナー像が多重転写される中間転写ベルト２１、各画像形成ユニット１１の各色トナー像を中間転写ベルト２１に順次転写（一次転写）させる一次転写ロール２２、中間転写ベルト２１上に転写された重畳トナー像を記録媒体である用紙Ｐに一括転写（二次転写）させる二次転写ロール２３、及び二次転写された画像を用紙Ｐ上に定着させる定着器２５を備えている。
【００２６】
次に上記画像形成装置の動作について説明する。
まず、画像形成プロセス部１０は、制御部３０から供給された同期信号等の制御信号に基づいて画像形成動作を行う。その際に、画像読取装置３やＰＣ２から入力された画像データは、画像処理部４０によって画像処理が施され、インターフェースを介して各画像形成ユニット１１に供給される。
【００２７】
例えば、イエローの画像形成ユニット１１Ｙでは、帯電器１３により所定電位で一様に帯電された感光体ドラム１２の表面が、画像処理部４０から得られた画像データに基づいて発光するＬＰＨ１４により露光されて、感光体ドラム１２上に静電潜像が形成される。即ち、ＬＰＨ１４の各ＬＥＤが画像データに基づいて発光することで、感光体ドラム１２の表面が主走査されると共に、感光体ドラム１２が回転することで副走査されて、感光体ドラム１２上に静電潜像が形成される。形成された静電潜像は現像器１５により現像され、感光体ドラム１２上にはイエローのトナー像が形成される。同様に、画像形成ユニット１１Ｍ,１１Ｃ,１１Ｋにおいて、マゼンタ、シアン、黒の各色トナー像が形成される。
【００２８】
各画像形成ユニット１１で形成された各色トナー像は、図１の矢印Ａ方向に回動する中間転写ベルト２１上に、一次転写ロール２２により順次静電吸引されて転写される（一次転写）。中間転写ベルト２１上には、重畳されたトナー像が形成される。重畳トナー像は、中間転写ベルト２１の移動に伴って二次転写ロール２３が配設された領域（二次転写部）に搬送される。重畳トナー像が二次転写部に搬送されると、トナー像が二次転写部に搬送されるタイミングに合わせて用紙Ｐが二次転写部に供給される。
【００２９】
そして、二次転写部にて二次転写ロール２３により形成される転写電界により、重畳トナー像は搬送されてきた用紙Ｐ上に一括して静電転写される（二次転写）。重畳トナー像が静電転写された用紙Ｐは、中間転写ベルト２１から剥離され、搬送ベルト２４により定着器２５まで搬送される。定着器２５に搬送された用紙Ｐ上の未定着トナー像は、定着器２５によって熱および圧力による定着処理を受けることで用紙Ｐ上に定着される。そして定着画像が形成された用紙Ｐは、画像形成装置の排出部に設けられた排紙トレー（不図示）に排出される。
【００３０】
＜ＬＥＤプリントヘッド(ＬＰＨ)＞
図２は本発明の実施の形態に係るＬＥＤプリントヘッドの構成の一例を示す概略斜視図である。図２に示すように、ＬＥＤプリントヘッド(ＬＰＨ１４)は、複数のＬＥＤ５０を備えたＬＥＤアレイ５２と、複数のＬＥＤ５０の各々に対応して設けられた複数のホログラム素子５４を備えたホログラム素子アレイ５６と、を備えている。図２に示す例では、ＬＥＤアレイ５２は６個のＬＥＤ５０１〜５０６を備え、ホログラム素子アレイ５６は６個のホログラム素子５４１〜５４６を備えている。なお、各々を区別する必要がない場合には、ＬＥＤ５０１〜５０６を「ＬＥＤ５０」と総称し、ホログラム素子５４１〜５４６を「ホログラム素子５４」と総称する。
【００３１】
複数のＬＥＤ５０の各々は、ＬＥＤチップ５３上に配列されている。複数のＬＥＤ５０が配列されたＬＥＤチップ５３は、ＬＥＤ５０の各々を駆動する駆動回路（図示せず）と共に、長尺状のＬＥＤ基板５８上に実装されている。ＬＥＤチップ５３は、複数のＬＥＤ５０が主走査方向に並ぶように位置合わせされて、ＬＥＤ基板５８上に配置されている。これにより、ＬＥＤ５０の各々は、感光体ドラム１２の軸線方向と平行な方向に沿って配列される。
【００３２】
ＬＥＤ５０の配列方向が「主走査方向」である。また、ＬＥＤ５０の各々は、互いに隣接する２つのＬＥＤ５０の主走査方向の間隔（ＬＥＤピッチ「ＰＬ」）が一定間隔となるように配列されている。なお、感光体ドラム１２の回転により副走査が行われるが、「主走査方向」と直交する方向を「副走査方向」として図示している。また、以下では、ＬＥＤ５０の配置される位置を、適宜「発光点」と称する。
【００３３】
ＬＥＤアレイ５２としては、複数のＬＥＤがチップ単位で基板上に実装されたＬＥＤアレイ等、種々の形態のＬＥＤアレイを用いてもよい。複数のＬＥＤが配列されたＬＥＤチップを複数個配列する場合には、複数のＬＥＤチップは、直列に配置してもよく、千鳥状に配置してもよい。また、副走査方向に２個以上配置してもよい。図２においては、複数のＬＥＤ５０が１個のＬＥＤチップ５３上に一次元状に配列されたＬＥＤアレイ５２を概略的に図示しているに過ぎない。
【００３４】
後述する通り、本実施の形態では、ＬＥＤアレイ５２には、複数のＬＥＤチップ５３が一次元状に配列されている（図２参照）。即ち、複数のＬＥＤチップ５３は、主走査方向に並ぶように一列に配置されている。また、後述する通り、本実施の形態では、複数のＬＥＤチップ５３に分けられていても、複数のＬＥＤ５０の各々は、対応するスポットが感光体ドラム１２上で主走査方向に一定間隔（スポットピッチ「ＰＳ」）で並ぶように配列されている。
【００３５】
ＬＥＤアレイ５２としては、複数の自己走査型ＬＥＤ（ＳＬＥＤ：Self-scanning LED）が配列されたＳＬＥＤチップ（図示せず）が、各ＬＥＤが主走査方向に並ぶように、複数個に配列されて構成されたＳＬＥＤアレイを用いてもよい。ＳＬＥＤアレイは、スイッチのオン・オフを二本の信号線によって行い、各ＳＬＥＤを選択的に発光させて、データ線を共通化する。このＳＬＥＤアレイを用いることで、ＬＥＤ基板５８上での配線数が少なくて済む。
【００３６】
上記のＬＥＤチップ５３を覆うように、ＬＥＤ基板５８上にはホログラム記録層６０が形成されている。ホログラム素子アレイ５６は、ＬＥＤ基板５８上に形成されたホログラム記録層６０内に形成されている。後述する通り、ＬＥＤ基板５８とホログラム記録層６０とは密着している必要はなく、空気層や透明樹脂層などを介して所定距離だけ離間されていてもよい。例えば、ホログラム記録層６０は、ＬＥＤ基板５８から所定高さだけ離間された位置に、図示しない保持部材により保持されていてもよい。
【００３７】
ホログラム記録層６０には、複数のＬＥＤ５０１〜５０６の各々に対応して、主走査方向に沿って複数のホログラム素子ＬＥＤ５４１〜５４６が形成されている。ホログラム素子５４の各々は、互いに隣接する２つのホログラム素子５４の主走査方向の間隔が、上記のＬＥＤ５０の主走査方向の間隔と、ほぼ同じ間隔となるように配列されている。即ち、互いに隣接する２つのホログラム素子５４が互いに重なり合うように、径の大きいホログラム素子５４が形成されている。また、互いに隣接する２つのホログラム素子５４が異なる形状を有していてもよい。
【００３８】
ホログラム記録層６０は、ホログラムを永続的に記録保持することが可能な高分子材料から構成されている。このような高分子材料としては、いわゆるフォトポリマーを用いてもよい。フォトポリマーは、光重合性モノマーのポリマー化による屈折率変化を利用してホログラムを記録する。
【００３９】
ＬＥＤ５０を発光させると、ＬＥＤ５０から射出された光（インコヒーレント光）は、発光点からホログラム径まで拡がる拡散光の光路を通る。ＬＥＤ５０の発光により、ホログラム素子５４に参照光が照射されたのと略同じ状況となる。図２に示すように、ＬＥＤアレイ５２とホログラム素子アレイ５６とを備えたＬＰＨ１４では、６個のＬＥＤ５０１〜５０６の各々から射出された各光は、対応するホログラム素子５４１〜５４６のいずれかに入射する。ホログラム素子５４１〜５４６は、入射された光を回折して回折光を生成する。ホログラム素子５４１〜５４６の各々で生成された各回折光は、拡散光の光路を避けて、その光軸が発光光軸と角度θを成す方向に射出され、感光体ドラム１２の方向に集光される。
【００４０】
射出された各回折光は、感光体ドラム１２の方向に収束して、数ｃｍ先の焦点面に配置された感光体ドラム１２の表面で結像される。即ち、複数のホログラム素子５４の各々は、対応するＬＥＤ５０から射出された光を回折して集光し、感光体ドラム１２表面に結像させる光学部材として機能する。感光体ドラム１２の表面には、各回折光による微小なスポット６２１〜６２６が、主走査方向に一列に配列されるように形成される。換言すれば、ＬＰＨ１４により、感光体ドラム１２が主走査される。なお、各々を区別する必要がない場合には、スポット６２１〜６２６を「スポット６２」と総称する。
【００４１】
＜ホログラム素子の形状＞
図３（Ａ）はホログラム素子の概略形状を示す斜視図であり、図３（Ｂ）はＬＥＤプリントヘッドの副走査方向の断面図であり、図３（Ｃ）はＬＥＤプリントヘッドの主走査方向に沿った断面図である。
【００４２】
図３（Ａ）に示すように、ホログラム素子５４の各々は、一般に厚いホログラムと称される体積ホログラムである。上述した通り、ホログラム素子は、入射角選択性及び波長選択性が高く、回折光の出射角度（回折角）を高精度で制御して、輪郭の鮮明な微小スポットを形成する。回折角の精度はホログラムの厚さが厚いほど高くなる。
【００４３】
図３（Ａ）及び図３（Ｂ）に示すように、ホログラム素子５４の各々は、ホログラム記録層６０の表面側を底面とし、ＬＥＤ５０側に向かって収束する円錐台状に形成されている。この例では円錐台状のホログラム素子について説明するが、ホログラム素子の形状はこれには限定されない。例えば、円錐、楕円錐、楕円錐台等の形状としてもよい。円錐台状のホログラム素子５４の直径は、底面で最も大きくなる。この円形の底面の直径を「ホログラム径ｒＨ」とする。
【００４４】
ホログラム素子５４の各々は、ＬＥＤ５０の主走査方向の間隔よりも大きな「ホログラム径ｒＨ」を有している。例えば、ＬＥＤ５０の主走査方向の間隔は３０μｍであり、ホログラム径ｒＨは２ｍｍ、ホログラム厚さｈＨは２５０μｍである。従って、図２及び図３（Ｃ）に示すように、互いに隣接する２つのホログラム素子５４は、互いに大幅に重なり合うように形成されている。複数のホログラム素子５４は、例えば、球面波シフト多重により多重記録されている。
【００４５】
複数のＬＥＤ５０の各々は、対応するホログラム素子５４側に光を射出するように、発光面をホログラム記録層６０の表面側に向けて、ＬＥＤ基板５８上に配置されている。ＬＥＤ５０の「発光光軸」は、対応するホログラム素子５４の中心（例えば、円錐台の対称軸）付近を通り、ＬＥＤ基板５８と直交する方向を向いている。図示した通り、発光光軸は、上記の主走査方向及び副走査方向の各々とも直交する。
【００４６】
また、図示は省略するが、ＬＰＨ１４は、ホログラム素子５４で生成された回折光が感光体ドラム１２の方向に射出されるように、ハウジングやホルダー等の保持部材により保持されて、図１に示す画像形成ユニット１１内の所定位置に取り付けられている。なお、ＬＰＨ１４は、調整ネジ（図示せず）等の調整手段により、回折光の光軸方向に移動するように構成されていてもよい。ホログラム素子５４による結像位置(焦点面)が、感光体ドラム１２表面上に位置するように、上記の調整手段により調整する。また、ホログラム記録層６０上に、カバーガラスや透明樹脂等で保護層が形成されていてもよい。保護層によりゴミの付着を防止する。
【００４７】
＜ホログラムの記録方法＞
次に、ホログラムの記録方法について説明する。図４は、ホログラム記録層にホログラム素子５４が形成される様子、即ち、ホログラム記録層にホログラムが記録される様子を示す図である。感光体ドラム１２の図示は省略し、結像面である表面１２Ａだけを図示する。また、ホログラム記録層６０Ａは、ホログラム素子５４が形成される前の記録層であり、符号Ａを付して、ホログラム素子５４が形成されたホログラム記録層６０と区別する。
【００４８】
図４に示すように、表面１２Ａに結像される回折光の光路を通るコヒーレント光が、信号光としてホログラム記録層６０Ａに照射される。同時に、ホログラム記録層６０Ａを通過する際に、発光点から所望のホログラム径ｒＨまで拡がる拡散光の光路を通るコヒーレント光が、参照光としてホログラム記録層６０Ａに照射される。コヒーレント光の照射には、半導体レーザ等のレーザ光源が用いられる。
【００４９】
信号光と参照光とは、ホログラム記録層６０Ａに対し、同じ側（ＬＥＤ基板５８が配置される側）から照射される。信号光と参照光との干渉により得られる干渉縞（強度分布）が、ホログラム記録層６０Ａの厚さ方向にわたって記録される。これにより、透過型のホログラム素子５４が形成されたホログラム記録層６０が得られる。ホログラム素子５４は、面方向及び厚さ方向に干渉縞の強度分布が記録された体積ホログラムである。このホログラム記録層６０を、ＬＥＤアレイ５２が実装されたＬＥＤ基板５８上に取り付けることで、ＬＰＨ１４が作製される。
【００５０】
ここで、ホログラム記録層６０ＡをＬＥＤアレイ５２が実装されたＬＥＤ基板５８上に取り付けた後に、信号光と参照光を、前述した方向と反対側から照射してホログラムを記録してもよい。この場合も同様に透過型のホログラム素子５４が形成されたホログラム記録層６０を得ることができる。
【００５１】
＜ホログラムの再生方法＞
次に、ホログラムの再生方法について説明する。図５（Ａ）及び（Ｂ）は、ホログラム素子から回折光が生成される様子、即ち、ホログラム記録層に記録されたホログラムが再生されて回折光が生成される様子を示す図である。図５（Ａ）に示すように、ＬＥＤ５０を発光させると、ＬＥＤ５０から射出された光は、発光点からホログラム径ｒＨまで拡がる拡散光の光路を通る。ＬＥＤ５０の発光により、ホログラム素子５４に参照光が照射されたのと略同じ状況となる。
【００５２】
図５（Ｂ）に示すように、点線で図示する参照光の照射により、実線で図示するように、ホログラム素子５４から信号光と同じ光が再生され、回折光として射出される。射出された回折光は収束して、数ｃｍの作動距離で感光体ドラム１２の表面１２Ａに結像される。表面１２Ａにはスポット６２が形成される。なお、図５（Ｂ）では、表面１２Ａが概略的に図示されているが、ホログラム径ｒＨは数ｍｍ、作動距離Ｌは数ｃｍであるから、表面１２Ａはかなり離れた位置にある。このため、ホログラム素子５４は、図示されたような円錐状ではなく、図３（Ａ）に示すように、円錐台状に形成される。
【００５３】
図２に示すように、感光体ドラム１２上には、ＬＥＤアレイ５２のＬＥＤ５０１〜５０６に対応して、６個のスポット６２１〜６２６が主走査方向に一列に並ぶように形成される。６個のスポット６２１〜６２６は、ホログラム素子５４１〜５４６の回折光が結像した結像スポットである。特に、体積ホログラムは入射角選択性及び波長選択性が高く、高い回折効率が得られる。このためバックグラウンドノイズ（背景雑音）が低減され、信号光が精度よく再生されて表面１２Ａには輪郭の鮮明な微小スポット（集光点）が形成される。
【００５４】
＜ＬＰＨの具体的な構成＞
図６はＳＬＥＤアレイに対応してホログラム素子アレイが形成されたＬＥＤプリントヘッドの部分的構成の一例を示す分解斜視図である。図６の分解斜視図は、図２に概略的に図示したＬＰＨの構成をより具体的に図示したものであり、実際の画像形成装置に使用される構成に近い。なお、「ＬＥＤ」に代えて「ＳＬＥＤ」を用いる場合には、ＬＥＤ５０と同じ符号を付して「ＳＬＥＤ５０」と称する。また、ＳＬＥＤチップにも同じ符号を付して「ＳＬＥＤチップ５３」と称する。
【００５５】
図６に示すＬＰＨ１４は、ＬＥＤアレイ５２が実装されたＬＥＤ基板５８と、複数のホログラム素子５４が形成されたホログラム記録層６０と、を備えている。図６に示す分解斜視図では、実際の構成に近いＬＰＨ１４の一部として、４個のＳＬＥＤチップ５３１〜５３４が１列に配列されたＳＬＥＤアレイ５２を備えている。４個のＳＬＥＤチップ５３１〜５３４の各々には、９個のＳＬＥＤ５０が所定間隔で一次元状に配列されている。４個のＳＬＥＤチップ５３１〜５３４の各々は、ＳＬＥＤ５０の配列方向が主走査方向を向くように配置されている。
【００５６】
従って、図６に示す例では、合計３６個のＳＬＥＤ５０（ＳＬＥＤ５０１〜５０３６）が図示されている。そして、３６個のＳＬＥＤ５０の各々に対応して、予め設計された位置及び形状の３６個のホログラム素子５４１〜５４３６が形成されている。これにより、感光体ドラム１２の表面１２Ａには、３６個のＳＬＥＤ５０１〜５０３６の各々に対応して、３６個のスポット６２１〜６２３６が主走査方向に沿って所定間隔で一列に形成されている。なお、実際の画像形成装置では、数千個のＳＬＥＤ５０に対応して、数千個のスポット６２が形成される。
【００５７】
従来のセルフォック（登録商標）レンズ等のレンズアレイを用いたＬＰＨでは、感光体ドラム上に正立等倍像を結像するために、画像形成装置の解像度（スポットピッチに換算可能）に応じた間隔でＳＬＥＤが配列されていた。例えば、Ａ３幅まで印字可能な画像形成装置を１２００ｓｐｉ（spots per inch）の解像度で構成するには、１４８４８個のＳＬＥＤが２１μｍの間隔で配列される必要がある。これら１４８４８個のＳＬＥＤに対応して、感光体ドラム１２上には１４８４８個のスポット６２が２１μｍの間隔で主走査方向に並ぶように形成される。ＳＬＥＤチップが２１μｍピッチで２５６個のＳＬＥＤを有する場合、このＳＬＥＤチップを５８個配列する必要が生じる。
【００５８】
本実施の形態では、ＬＰＨ１４は、複数のＳＬＥＤ５０が配列された複数のＳＬＥＤチップ５３を備えたＳＬＥＤアレイ５２と、複数のＳＬＥＤ５０の各々に対応して複数のホログラム素子５４が形成されたホログラム素子アレイ５６と、を備えている。ＳＬＥＤアレイ５２を構成するＳＬＥＤ５０のＬＥＤピッチ「ＰＬ」は狭く、スポット６２列のスポットピッチ「ＰＳ」とは無関係に定められている。
【００５９】
ＳＬＥＤ５０のＬＥＤピッチＰＬに拘わらず、ホログラム素子５４が所望の方向に回折光を収束させて、表面１２Ａの所望の位置に（即ち、所望のスポットピッチＰＳで）スポット６２列が形成される。図６に示すように、ＳＬＥＤチップ５３の各ＳＬＥＤ５０から射出された光は、対応するホログラム素子５４により主走査方向に拡げられる。これにより、ＬＥＤアレイ５２の設計の自由度が向上する。
【００６０】
本実施の形態では、スポットピッチＰＳより狭いＬＥＤピッチＰＬで複数のＳＬＥＤ５０が配列されたＳＬＥＤチップ５３を用いているが、ホログラム素子５４により所望のスポットピッチＰＳでスポット６２が形成される。このため、余剰のＳＬＥＤ５０又はＳＬＥＤチップ５３の実装が不要となって、実装コストが実質的に削減される。例えば、先にあげたＡ３幅まで印字可能な画像形成装置も、６００ｓｐｉまで解像度を落とした場合に、２１μｍピッチで２５６個のＳＬＥＤを有するＳＬＥＤチップ２９個を配列し、これをホログラム素子でスポット位置を主走査方向に調整することによって実現できる。
【００６１】
＜チップ配列の条件＞
図６に示すように、ＳＬＥＤ５０が狭いピッチで配列されたＳＬＥＤチップ５３を用いた場合、複数のＳＬＥＤチップ５３は互いに離間するように配置され得る。この例では、４個のＳＬＥＤチップ５３１〜５３４の各々は、異なるチップ間で互いに隣り合う２個のＳＬＥＤチップ５３が、距離ｘだけ離間するように配置されている。例えば、ＳＬＥＤチップ５３１の右端のＳＬＥＤ５０９と、ＳＬＥＤチップ５３２の左端のＳＬＥＤ５０１０とは、距離ｘだけ離間している。
【００６２】
しかしながら、ＳＬＥＤ５０９に対応するスポット６２９と、ＳＬＥＤ５０１０に対応するスポット６２１０とは、一定のスポットピッチＰＳで形成されている。なお、図６では、ＳＬＥＤ５０９とスポット６２９とを結ぶ光路と、ＳＬＥＤ５０１０とスポット６２１０とを結ぶ光路とを実線で図示した。また、スポット６２９とスポット６２１０とを黒丸で図示した。
【００６３】
図６に示すように、ＳＬＥＤ５０９とＳＬＥＤ５０１０とが離間していると、対応するスポット６２９とスポット６２１０に結像させるために、対応するホログラム素子５４９とホログラム素子５４１０の回折角度の差は大きくなる。形成されるスポット間隔の誤差は、（作動距離）×（回折角度の差）で大きくなる。従って、互いに隣り合う２個のスポット６２が、異なるＳＬＥＤチップ５３に属する２個のＳＬＥＤ５０により形成される場合には、２個のＳＬＥＤ５０間の距離ｘが以下の関係式を満たす必要がある。
ｘ＜ｐｓ（Ｌ/ｄ）
上記式中、ｐｓは主走査方向に配列されるスポット間隔（スポットピッチＰＳ）を表し、Ｌはホログラム素子５４の作動距離を表し、ｄはホログラム素子５４の焦点深度を表す。ここで、複数のホログラム素子５４の焦点深度ｄは一定であるものとする。また、ホログラム素子５４の作動距離Ｌは、ホログラム素子５４の出射面（ホログラム記録層６０の表面）から、感光体１２の表面１２Ａまでの距離である。
【００６４】
図７は複数のＳＬＥＤチップ５３を配列してＳＬＥＤアレイ５２を構成する条件を説明する図面である。上記の関係式を満たすことで、ＳＬＥＤ５０９の射出光をスポット６２９に結像させるホログラム素子５４９と、ＳＬＥＤ５０１０の射出光をスポット６２１０に結像させるホログラム素子５４１０とは、各々の焦点深度ｄが公差の範囲となる。このように、本実施の形態では、ＳＬＥＤアレイ５２を構成する複数のＳＬＥＤチップ５３の実装精度が緩和され、ある程度の組立公差が許容されるようになり、スポットピッチＰＳには影響を与えない。
【００６５】
＜その他の変形例＞
なお、上記では、複数のＬＥＤを備えたＬＥＤプリントヘッドを備える例について説明したが、ＬＥＤに代えて電界発光素子（ＥＬ）、レーザダイオード（ＬＤ）等、他の発光素子を用いてもよい。発光素子の特性に応じてホログラム素子を設計すると共に、インコヒーレント光による不要露光を防止することで、インコヒーレント光を射出するＬＥＤやＥＬを発光素子として用いた場合でも、コヒーレント光を射出するＬＤを発光素子として用いた場合と同様に、輪郭が鮮明な微小スポットが形成される。
【００６６】
また、上記では、球面波シフト多重により複数のホログラム素子を多重記録する例について説明したが、所望の回折光が得られる多重方式であれば、他の多重方式で複数のホログラム素子を多重記録してもよい。また、複数種類の多重方式を併用しても良い。他の多重方式としては、参照光の入射角度を変えながら記録する角度多重記録、参照光の波長を変えながら記録する波長多重記録、参照光の位相を変えながら記録する位相多重記録等が挙げられる。多重記録された複数のホログラムからは、別々の回折光がクロストークなく再生される。
【００６７】
また、上記では、画像形成装置がタンデム型のデジタルカラープリンタであり、その各画像形成ユニットの感光体ドラムを露光する露光装置としてのＬＥＤプリントヘッドについて説明したが、露光装置により感光性の画像記録媒体を像様露光することで画像が形成される画像形成装置であればよく、上記の応用例には限定されない。例えば、画像形成装置は、電子写真方式のデジタルカラープリンタには限定されない。銀塩方式の画像形成装置や光書込み型電子ペーパー等の書き込み装置等にも本発明の露光装置を搭載してもよい。また、感光性の画像記録媒体は、感光体ドラムには限定されない。シート状の感光体や写真感光材料、フォトレジスト、フォトポリマー等の露光にも、上記応用例に係る露光装置を適用してもよい。
【符号の説明】
【００６８】
２     ＰＣ
３     画像読取装置
１０   画像形成プロセス部
１１   画像形成ユニット
１２   感光体ドラム
１２Ａ 表面
１３   帯電器
１４   ＬＥＤプリントヘッド
１５ 現像器
１６ クリーナ
２１ 中間転写ベルト
２２ 一次転写ロール
２３ 二次転写ロール
２４ 搬送ベルト
２５ 定着器
３０ 制御部
４０ 画像処理部
５０   ＬＥＤ
５２   ＬＥＤアレイ
５３   ＬＥＤチップ
５４   ホログラム素子
５６   ホログラム素子アレイ
５８   ＬＥＤ基板
６０   ホログラム記録層
６０Ａ ホログラム記録層
６２   スポット
【図１】
2011173333.tif 000003
【図２】
2011173333.tif 000004
【図３】
2011173333.tif 000005
【図４】
2011173333.tif 000006
【図５】
2011173333.tif 000007
【図６】
2011173333.tif 000008
【図７】
2011173333.tif 000009